(57)【特許請求の範囲】
【請求項１】
被切断材をセット可能なベースの上方に、回転刃を有する本体を上下動可能に設ける一方、前記ベース側の中央に凹設した逃げ溝の開口部に、前記本体の下降時に前記回転刃が進入可能なスリットを有する刃口板を設けた切断機であって、
前記刃口板を、前記逃げ溝内に設けた弾性部材によって上面が前記ベース側の上面以上となる位置で弾性的に支持したことを特徴とする切断機。
【請求項２】
前記刃口板を、前記スリットを間に形成する左右一対の帯板として、前記弾性部材を、前記各帯板を前記スリット側へ近づくに従って徐々に高くなる傾斜姿勢に支持する板バネとしたことを特徴とする請求項１に記載の切断機。
【請求項３】
被切断材をセット可能なベースの上方に、回転刃を有する本体を上下動可能に設ける一方、前記ベース側の中央に凹設した逃げ溝の開口部に、前記本体の下降時に前記回転刃が進入可能なスリットを有する刃口板を設けた切断機であって、
前記刃口板を、前記逃げ溝内に設けたネジ送り機構によって上下方向の位置を調整可能に支持すると共に、前記ネジ送り機構を、前記刃口板を下方側へ付勢する付勢手段を含むものとしたことを特徴とする切断機。
【請求項４】
前記ネジ送り機構を、前記刃口板の下方に連結されたブロック体と、そのブロック体と刃口板とを下方側へ付勢する前記付勢手段と、前記ブロック体に螺合され、回転操作によって前記ブロック体の下方へ出没して前記逃げ溝の底面とブロック体との距離を調整可能なネジ部材としたことを特徴とする請求項３に記載の切断機。
【発明の詳細な説明】
【技術分野】
【０００１】
本発明は、被切断材をセット可能なベースの上方に、回転刃を有する本体を上下動可能に設けた卓上丸鋸盤等の切断機に関する。
【背景技術】
【０００２】
切断機の一例である卓上丸鋸盤においては、ベースの後方に立設したアームに、回転刃を有する本体を上下動可能に軸着して、本体の下降操作により、ベース上にセットした被切断を回転刃で切断可能となっている。このベースには、左右方向にガイドフェンスが架設されて、ベースの上面と直角となるガイド面に被切断材を押し当てることで、被切断材の位置決めを容易としている。
また、ベース又はベース上に設けられたターンテーブルの中央には、本体を下降させた際の回転刃の切り込みを許容する逃げ溝が設けられ、その逃げ溝の開口部に刃口板が設けられている。この刃口板は、例えば特許文献１に開示の如く、合成樹脂製等の一対の帯板を、回転刃が進入可能なスリットを間に残した格好で切り込み位置の左右に配置してなり、被切断材の切断の際には、切り口の両側で被切断材の下面に当接してけば立ちを抑える役目を果たしている。
【０００３】
【特許文献１】実開平６−５８２０号公報
【発明の開示】
【発明が解決しようとする課題】
【０００４】
しかし、この刃口板は、ベースやターンテーブルとは別部材であるため、寸法公差等によって帯板の上面がベースやターンテーブルの上面よりも低くなる段差が生じることがあり、けば立ちの発生が十分に抑えられないことがあった。
【０００５】
そこで、本発明は、寸法公差等にかかわらず、刃口板による被切断材のけば立ち防止効果を有効に発揮させることができる切断機を提供することを目的としたものである。
【課題を解決するための手段】
【０００６】
上記目的を達成するために、請求項１に記載の発明は、刃口板を、逃げ溝内に設けた弾性部材によって上面がベース側の上面以上となる位置で弾性的に支持したことを特徴とするものである。
請求項２に記載の発明は、請求項１の構成において、刃口板をその上面がベース側の上面以上となる位置で支持しても、被切断材を位置決めする際に刃口板と干渉しにくくするために、刃口板を、スリットを間に形成する左右一対の帯板として、弾性部材を、各帯板をスリット側へ近づくに従って徐々に高くなる傾斜姿勢に支持する板バネとしたことを特徴とするものである。
上記目的を達成するために、請求項３に記載の発明は、刃口板を、逃げ溝内に設けたネジ送り機構によって上下方向の位置を調整可能に支持すると共に、ネジ送り機構を、刃口板を下方側へ付勢する付勢手段を含むものとしたことを特徴とするものである。
請求項４に記載の発明は、請求項３の構成において、刃口板の上下方向の位置を容易に調整可能とするために、ネジ送り機構を、刃口板の下方に連結されたブロック体と、そのブロック体と刃口板とを下方側へ付勢する付勢手段と、ブロック体に螺合され、回転操作によってブロック体の下方へ出没して逃げ溝の底面とブロック体との距離を調整可能なネジ部材としたことを特徴とするものである。
なお、本発明において「ベース側」とは、ベース自体は勿論、ベース上に水平回転可能に載置されて被切断材がセットされるターンテーブル等も含む趣旨である。
【発明の効果】
【０００７】
請求項１及び３に記載の発明によれば、被切断材の位置決めの際に刃口板の上面をベース側の上面と正確に一致させることができる。よって、寸法公差等にかかわらず、刃口板による被切断材のけば立ち防止効果を有効に発揮させることができる。
請求項２に記載の発明によれば、請求項１の効果に加えて、刃口板をその上面がベース側の上面以上となる位置で支持しても、被切断材を位置決めする際に刃口板と干渉しにくくなる上、切り口に近づく程大きくなる弾性力で帯板を被切断材に押圧でき、けば立ちをより効果的に防止することができる。
請求項４に記載の発明によれば、請求項３の効果に加えて、刃口板の上下方向の位置が容易に調整可能となる。
【発明を実施するための最良の形態】
【０００８】
以下、本発明の実施の形態を図面に基づいて説明する。
［形態１］
図１は、切断機の一例である卓上丸鋸盤のベース部分の平面図で、卓上丸鋸盤１は、ベース２上に円形状のターンテーブル３を略中央で水平回転可能に載置し、そのターンテーブル３の後方（図１の上側）中央に、モータ駆動で回転する回転刃としての鋸刃を備えた図示しない本体を上下動可能に連結した周知の構成となっている。また、ベース２上の左右には、ターンテーブル３上を非接触で左右に横切るガイドフェンス４が、ボルトで固定されている。このガイドフェンス４は、左右一対のガイド部５，５と、ターンテーブル３の中央に設けた刃口板７を迂回して両ガイド部５，５を連結する半円状の迂回部６とからなり、各ガイド部５の前面は、ターンテーブル３の上面と直角となっている。
【０００９】
刃口板７は、図２にも示すように、ターンテーブル３の中央に前後方向へ凹設された逃げ溝８の開口部で、間に鋸刃９が通過可能なスリット１１を形成するように配置された合成樹脂製の一対の帯板１０，１０からなり、各帯板１０は、外側の端縁に沿って設けられた前後一対の弾性部材としての板バネ１２，１２によって支持されている。この板バネ１２は、外側の端部が、逃げ溝８の外縁でターンテーブル３の上面よりも低く凹設された取付凹部１３に、左右方向に形成した長孔１４を介してネジ１５によって固定され、中央側の端部で上方へ折り返し形成した係止片１６を帯板１０の下面に差し込み固定することで、帯板１０を弾性的に支持するもので、当該支持状態で各帯板１０は、外側からスリット１１へ近づくに従って徐々に高くなる傾斜姿勢となっている。この傾斜姿勢により各帯板１０の上面は、ターンテーブル３の上面よりも僅かに上方へ突出している。なお、スリット１１の間隔は、長孔１４に対するネジ止め位置を左右方向で変更することで調整可能である。
【００１０】
以上の如く構成された卓上丸鋸盤１は、被切断材をガイドフェンス４の前面に押し当てた状態でターンテーブル３の上面にセットすると、被切断材が刃口板７の各帯板１０を板バネ１２の付勢に抗して押し下げ、各帯板１０の上面をターンテーブル３の上面と一致させる。こうして被切断材を位置決めした後、鋸刃９を回転させた本体を下降させると、被切断材をガイドフェンス４に対して直角に切断することができる。このとき、刃口板７の両帯板１０は板バネ１２の弾性によって下面に押し付けられているので、切り口のけば立ちが抑えられる。なお、ターンテーブル３を回転させると水平方向で鋸刃９の角度が変更する角度切りが、本体を傾動させると図２の二点鎖線で示すように垂直方向で鋸刃９の角度が変更する傾斜切断が夫々可能となるが、何れの場合も刃口板７によるけば立ち防止効果は得られる。
【００１１】
このように、上記形態１の卓上丸鋸盤１によれば、刃口板７を、逃げ溝８内に設けた弾性部材（板バネ１２）によって上面がターンテーブル３の上面以上となる位置で弾性的に支持したことで、被切断材の位置決めの際に刃口板７の上面をターンテーブル３の上面と正確に一致させることができる。よって、寸法公差等にかかわらず、刃口板７による被切断材のけば立ち防止効果を有効に発揮させることができる。
特にここでは、刃口板７を、スリット１１を間に形成する左右一対の帯板１０，１０として、弾性部材を、各帯板１０をスリット１１側へ近づくに従って徐々に高くなる傾斜姿勢に支持する板バネ１２としたことで、被切断材を位置決めする際に刃口板７と干渉しにくくなる上、切り口に近づく程大きくなる弾性力で帯板１０を被切断材に押圧でき、けば立ちをより効果的に防止することができる。
【００１２】
なお、形態１では、板バネの数を増やしたり、長さや幅を適宜変更したりして差し支えない。また、板バネに限らず、コイルバネ等の他の弾性部材で刃口板を弾性的に支持させるようにしてもよい。
さらに、上記形態１では、帯板を傾斜姿勢で支持しているが、水平姿勢でもよい。この場合、帯板の上面がターンテーブルの上面と一致するように弾性部材で支持させることもできる。
【００１３】
［形態２］
次に、本発明の他の形態を説明する。なお、形態１と同じ構成部には同じ符号を付して重複する説明を省略する。
図３に示す卓上丸鋸盤１ａにおいて、ターンテーブル３の逃げ溝８の底面には、ブロック体となる左右一対のアルミブロック２０，２０が収容されている。このアルミブロック２０は、各帯板１０に沿って前後に長くなる角軸状で、図４に示すように、逃げ溝８の底面に立設されたリブ２１，２１によって左右方向への移動を規制された状態で、上下方向へのみ移動可能となっている。また、各帯板１０の上面には、ターンテーブル３の上面より低い取付凹部２２，２２が前後二箇所に凹設されており、各取付凹部２２内で左右方向に形成された長孔２３を貫通させたネジ２４をアルミブロック２０に螺合させることで、アルミブロック２０を帯板１０と一体に連結している。さらに、各アルミブロック２０の前後両端には、上端に六角孔を形成したネジ部材としての調整ネジ２５，２５が螺合されている。この調整ネジ２５は、帯板１０に穿設した左右方向の長孔２６を介して六角レンチで回転操作することで、アルミブロック２０の下方へ出没可能となる。
【００１４】
一方、各アルミブロック２０における前後方向の中央には、引張ネジ２７が設けられている。この引張ネジ２７は、逃げ溝８の底部に貫通状態で固定したスリーブ２８を貫通して下側からアルミブロック２０に螺合させたもので、逃げ溝８の下面側で引張ネジ２７の頭部に設けたワッシャー２９との間には、コイルバネ３０が介在されている。よって、アルミブロック２０及びこれと一体の帯板１０は、付勢手段となる引張ネジ２７及びコイルバネ３０により下方側へ引張付勢されることになるが、調整ネジ２５，２５をアルミブロック２０へのねじ込み方向へ回転操作してアルミブロック２０の下方へ突出させると、アルミブロック２０が逃げ溝８の底面から離れて上昇し、下限位置を設定できる。すなわち、調整ネジ２５の回転操作によってアルミブロック２０をネジ送りして各帯板１０を上下動させるネジ送り機構を形成して、各帯板１０の上面をターンテーブル３の上面に一致させることができるようにしたものである。
【００１５】
以上の如く構成された卓上丸鋸盤１ａにおいては、被切断材をガイドフェンス４の前面に押し当てた状態でターンテーブル３の上面にセットして位置決めした後、調整ネジ２５を回転操作してアルミブロック２０及び帯板１０をネジ送りして、各帯板１０の上面を被切断材の下面に当接させると、各帯板１０の上面はターンテーブル３の上面と一致する。この状態で鋸刃９を回転させた本体を下降させると、被切断材をガイドフェンス４に対して切断することができる。このとき、両帯板１０はその上面がターンテーブル３の上面と正確に一致した状態で被切断材の下面に当接しているので、切り口のけば立ちは抑えられる。なお、使用に連れて帯板１０の上面がターンテーブル３の上面からずれるようなことがあっても、調整ネジ２５の回転操作によって簡単に修正可能となる。
【００１６】
このように、上記形態２の卓上丸鋸盤１ａにおいても、刃口板７を、逃げ溝８内に設けたネジ送り機構によって上下方向の位置を調整可能に支持したことで、被切断材の位置決めの際に刃口板７の上面をターンテーブル３の上面と正確に一致させることができる。よって、寸法公差等にかかわらず、刃口板による被切断材のけば立ち防止効果を有効に発揮させることができる。
特にここでは、ネジ送り機構を、帯板１０の下方に連結されたアルミブロック２０と、そのアルミブロック２０と帯板１０とを下方側へ付勢する付勢手段（引張ネジ２７及びコイルバネ３０）と、アルミブロック２０に螺合され、回転操作によってアルミブロック２０の下方へ出没して逃げ溝８の底面とアルミブロック２０との距離を調整可能な調整ネジ２５としたことで、刃口板７の上下方向の位置が容易に調整可能となっている。
【００１７】
なお、形態２においても、例えば帯板の幅が広ければ調整ネジを複数列設けて、帯板の幅方向でも微調整できるようにしたり、引張ネジを各帯板に対して複数設けたり等、調整ネジや引張ネジの数や位置は適宜変更して差し支えない。また、付勢手段の具体的な構造も、引張ネジを用いずに単純な引張バネを用いたりすることは可能である。
【００１８】
その他、形態１，２に共通して、刃口板は、一対の帯板からなるものに限らず、一つの板材の中央にスリットを形成したものであっても、弾性部材やネジ送り機構による上面位置の調整は可能である。
また、本体がスライドバーを介して前後へスライドするスライドマルノコや、ターンテーブルがないタイプ、本体が傾動しないタイプ、さらにはカッタ等、上記形態以外の他の切断機においても本発明は適用可能である。
【図面の簡単な説明】
【００１９】
【図１】形態１の卓上丸鋸盤のベース部分の平面図である。
【図２】刃口板の説明図で、上が平面、下が断面を夫々示す。
【図３】形態２の卓上丸鋸盤のベース部分の平面図である。
【図４】刃口板の説明図で、上が平面、下が断面、左が引張ネジ部分の断面を夫々示す。
【符号の説明】
【００２０】
１，１ａ・・卓上丸鋸盤、２・・ベース、３・・ターンテーブル、４・・ガイドフェンス、７・・刃口板、８・・逃げ溝、９・・鋸刃、１０・・帯板、１１・・スリット、１２・・板バネ、１５，２４・・ネジ、１６・・係止片、２０・・アルミブロック、２５・・調整ネジ、２７・・引張ネジ、３０・・コイルバネ。
【図１】
0005160851.tif 000002
【図２】
0005160851.tif 000003
【図３】
0005160851.tif 000004
【図４】
0005160851.tif 000005